(57)【要約】【課題】誤操作により印刷装置の設定情報が更新された場合、以前の設定情報に一括設定により復旧可能な印刷制御装置を提供する。【解決手段】印刷装置の設定情報更新時における設定情報印刷メニュー実行時、現在の設定情報を識別子に付加して格納し、ＷＥＢメニュー上からその履歴を確認可能にし、前記ＷＥＢメニューに表示されている識別子を入力することにより、当該識別子に対応する設定情報に復旧する構成になっている。【選択図】図１
2009193384.tif 000002
【特許請求の範囲】
【請求項１】
印刷装置の設定情報が変更された場合にその内容を設定情報印刷で確認可能な印刷制御装置において、
前記設定情報印刷の際に現在の設定内容を記録媒体に識別子を付加して格納しておき、誤操作による設定で印刷を行った場合、その識別子をＷＥＢ上のメニューから入力することにより、前記識別子に対応する設定情報に復旧する構成になっていることを特徴とする印刷制御装置。
【請求項２】
請求項１の印刷制御装置において、前記記録媒体に格納した設定情報はリモートからその内容を確認する形態の構成をとることを特徴とする印刷制御装置。
【発明の詳細な説明】
【技術分野】
【０００１】
本発明は、プリンタの印刷制御装置に関するものである。
【背景技術】
【０００２】
図４により印刷装置の構成を説明する。本印刷装置は、マイクロプロセッサ１９、主記憶装置２０、不揮発性メモリ２１、ハードディスク（以下ＨＤＤと呼ぶ）２２、インタフェース２３を構成要素として含む印刷制御装置２４、プリンタ印刷機構２５、操作パネル２６などを備えている。
【０００３】
またインタフェース２３は、ネットワークＩ／Ｆ２７を構成要素として含む。プリンタソフトウェア構成２８はプリンタ全体の監視及びＷＥＢ  Ｉ／Ｆ処理を含む各Ｉ／Ｆ処理を制御するタスク処理２９、プリンタ印刷機構２５を制御するプリンタ印刷機構制御処理３０、ネットワーク通信を行うための通信Ｉ／Ｆ処理３１、パネル入出力処理３２と、タスク管理やメモリ管理などを行うオペレーティングシステム（以下ＯＳと呼ぶ）３３を構成要素として含む。
【０００４】
従来、印刷装置の設定情報は不揮発性メモリ２１やＨＤＤ２２上に格納され、設定情報が更新されると不揮発性メモリ２１やＨＤＤ２２の情報も更新され、設定情報を確認する場合は、操作パネル２６の設定情報印刷メニューを実行することにより、全設定内容を確認可能となっている。
【０００５】
また、不揮発性メモリ２１が搭載されているメインボードやＨＤＤ２２の故障などの要因により、メインボードやＨＤＤ２２が交換された場合は、新しい部品に交換されても交換前の設定情報が継続できるようにするため印刷制御装置内で定期的なバックアップを実行しており、前記バックアップデータは、操作パネル２６の設定情報リストアメニューを実行することにより、交換前の設定情報が継続可能となっている（例えば特許文献１参照）。
【０００６】
【特許文献１】特開２００６−１７１９２０号公報
【発明の開示】
【発明が解決しようとする課題】
【０００７】
しかし、印刷装置の設定情報の中には、その設定内容により、ユーザが意図する印刷とは全く異なる印刷形態となってしまう項目もあり、これらの設定情報が、ユーザまたは保守員の誤操作により設定内容が変更されても、変更した内容が正常なパラメータであれば、誤操作による設定でもその値が有効となってしまい、設定可能になっている。
【０００８】
誤設定により設定情報が変更された場合、設定変更時に元の正しい設定情報に復旧されることは少なく、前記したようにその後の印刷業務において、ユーザが意図しない印刷結果が出力されることにより、検出される場合が多い。そのようなケースでは、過去の設定情報の履歴が残っていないため、現在の設定情報の正当性を確認することが難しく、設定情報の誤設定により、ユーザが意図しない印刷結果が出力されていると判別するには、時間を要するという問題があった。
【０００９】
本発明の目的は、このような従来技術の欠点を解消し、印刷装置の設定情報を変更する場合のユーザまたは保守員の誤操作による設定情報の復旧が容易にできる印刷制御装置を提供することにある。
【課題を解決するための手段】
【００１０】
前記目的を達成するため本発明の第１の手段は、印刷装置の設定情報が変更された場合にその内容を設定情報印刷で確認可能な印刷制御装置において、前記設定情報印刷の際に現在の設定内容を不揮発性メモリやＨＤＤなどの記録媒体に識別子を付加して格納しておき、誤操作による設定で印刷を行った場合、その識別子をＷＥＢ上のメニューから入力することにより、前記識別子に対応する設定情報に復旧する構成になっていることを特徴としている。
【００１１】
第２の手段は前記第１の手段において、前記記録媒体に格納した設定情報は、例えばＰＣのブラウザなどのリモートからその内容を確認する形態の構成をとることを特徴とするものである。
【発明の効果】
【００１２】
本発明は前述のような構成になっており、設定情報が更新された場合、設定情報印刷時に識別子を付加して現在の設定情報を保存可能になり、誤操作前の設定に復旧したい場合は、誤操作前の当該識別子をＷＥＢ上のメニューから入力することにより容易に復旧可能である。
【発明を実施するための最良の形態】
【００１３】
図１は設定情報印刷処理に追加される設定情報保存処理のフローチャート、図２はＷＥＢメニューに追加される設定情報履歴表示処理の概略図、図３はＷＥＢメニューに追加される設定情報復旧処理のフローチャートである。
【００１４】
図１を使用して、プリンタソフトウェア構成２８内のタスク処理２９（ともに図４参照）に追加する設定情報保存処理の概略について説明する。
【００１５】
本処理は、操作パネル２６の設定情報印刷メニューが実行された場合、現在の設定情報を履歴として保存するかの確認表示を行い（ステップ１）、保存するを選択した場合、設定情報格納用ファイルを生成する（ステップ２）。設定情報格納用ファイルには、識別子を記録する（ステップ３）とともに現在の時刻を記録（ステップ４）する。次に設定情報の項目を一つ一つ検索し、現在の設定値がデフォルト値と異なる場合（ステップ５）、項目と設定値を設定情報格納用ファイルに記録し（ステップ６）、すべての項目の検索が終了（ステップ７）した場合、設定情報保存ファイルとしてＨＤＤ２２（図４参照）の設定情報格納ディレクトリに格納する（ステップ８）。
【００１６】
図２を使用して、ＷＥＢメニューに追加する設定情報履歴表示処理の概略について説明する。本処理は、ＷＥＢ上のメニューに設定情報表示メニューを追加し、当該メニューには、ＨＤＤ２２の設定情報格納ディレクトリに設定情報保存ファイルがある場合、当該ファイルから識別子９、設定情報格納時刻１０を読み出し、それぞれの内容を識別子フィールド１２と時刻フィールド１３に表示し、最後に設定情報保存ファイルフィールド１４に設定情報保存ファイルへのリンク１１を表示する。
【００１７】
図３を使用して、ＷＥＢメニューに追加する設定情報復旧処理の概略について説明する。本処理は、設定情報履歴表示処理でＷＥＢ上に表示した、識別子フィールドの値をＷＥＢメニューから入力し、実行キーをクリック（ステップ１５）することにより、すべの設定情報をデフォルト値にクリア（ステップ１６）する。次に項目読み込みが終了していない場合（ステップ１７）、当該設定情報保存ファイルフィールドのリンク先のファイルを読み込み、当該項目の設定値を更新する（ステップ１８）。
【００１８】
上記により、印刷装置の設定情報が更新された場合、設定情報更新時の設定情報が変更履歴情報としてＨＤＤに保存されることにより、装置に不慣れなユーザや保守員の誤操作により設定情報が更新された場合においても、設定情報格納時に付加した識別子を入力することにより、誤操作前の正常な設定値に復旧することができるようになる。
【図面の簡単な説明】
【００１９】
【図１】本発明の実施例に係る設定情報印刷処理に追加される設定情報保存処理のフローチャートである。
【図２】本発明の実施例に係るＷＥＢメニューに追加される設定情報履歴表示処理の概略図である。
【図３】本発明の実施例に係るＷＥＢメニューに追加される設定情報復旧処理のフローチャートである。
【図４】印刷装置の概略構成図である。
【符号の説明】
【００２０】
１：現在の設定情報を保存、２：設定情報格納用ファイル作成、３：識別子を記録、４：現在の時刻を記録、５：デフォルト値と異なる項目あり、６：項目名と設定値の記録、７：項目検索終了、８：設定情報格納ディレクトリに格納、９：識別子、１０：時刻、１１：設定情報保存ファイルへのリンク、１２：識別子フィールド、１３：時刻フィールド、１４：設定情報保存ファイルフィールド、１５：識別子入力済＆実行キークリック、１６：すべての設定値をデフォルトにクリア、１７：項目読み込み終了、１８：当該項目の設定値を更新、１９：マイクロプロセッサ、２０：主記憶装置、２１：不揮発性メモリ、２２：ＨＤＤ、２３：インタフェース、２４：印刷制御装置、２５：プリンタ印刷機構、２６：操作パネル、２７：ネットワークＩ／Ｆ、２８：プリンタソフトウェア構成、２９：タスク処理、３０：プリンタ印刷機構制御処理、３１：通信Ｉ／Ｆ処理、３２：パネル入出力処理、３３：ＯＳ。
【図１】
2009193384.tif 000003
【図２】
2009193384.tif 000004
【図３】
2009193384.tif 000005
【図４】
2009193384.tif 000006